(57)【要約】【課題】上部および下部胴縁に縦格子を、縦格子が上部および下部胴縁から抜け出さないようにワンタッチで確実に取り付けることができ、しかも、上部および下部胴縁と縦格子とのなす角度を所定角度範囲内で任意に変えることができる。【解決手段】支柱１と、支柱１間に取り付けられるパネル２とからなり、パネル２は、上部胴縁３および下部胴縁４と、上部胴縁３と下部胴縁４との間に取り付けられ、端部が上部胴縁３と下部胴縁４とに挿入される複数本の縦格子５と、上部胴縁３および下部胴縁４に縦格子５を、縦格子５が上部胴縁３および下部胴縁４から抜け出さないように固定する支持材６とからなる傾斜地対応フェンスにおいて、支持材６は、上部胴縁３および下部胴縁４内に挿入可能な幅および長さ寸法と縦格子５の間隔と等しい間隔で形成された鍵穴状開口とを有し、前記開口の大径部は、縦格子５の端部を挿入可能な寸法を有し、前記開口の小径部は、縦格子５の端部に形成された頸部を挿入可能な寸法を有している。【選択図】図１
2007205003.tif 000002
【特許請求の範囲】
【請求項１】
支柱と、前記支柱間に取り付けられるパネルとからなり、前記パネルは、上部胴縁および下部胴縁と、前記上部胴縁と前記下部胴縁との間に取り付けられ、端部が前記上部胴縁と前記下部胴縁とに挿入される複数本の縦格子と、前記上部胴縁および前記下部胴縁に前記縦格子を、前記縦格子が前記上部胴縁および前記下部胴縁から抜け出さないように固定する支持材とからなる傾斜地対応フェンスにおいて、
前記支持材は、前記上部胴縁および前記下部胴縁内に挿入可能な幅および長さ寸法と前記縦格子の間隔と等しい間隔で形成された鍵穴状開口とを有し、前記開口の大径部は、前記縦格子の端部を挿入可能な寸法を有し、前記開口の小径部は、前記縦格子の端部に形成された頸部を挿入可能な寸法を有していることを特徴とする傾斜地対応フェンス。
【請求項２】
前記開口の小径部は楔状に形成されていることを特徴とする、請求項１記載の傾斜地対応フェンス。
【請求項３】
前記上部および下部胴縁は、丸パイプからなり、前記縦格子は、丸または角パイプからなることを特徴とする、請求項１または２記載の傾斜地対応フェンス。
【請求項４】
前記上部および下部胴縁は、角パイプからなり、前記縦格子は、丸または角パイプからなることを特徴とする、請求項１または２記載の傾斜地対応フェンス。
【発明の詳細な説明】
【技術分野】
【０００１】
この発明は、傾斜地対応フェンス、特に、上部および下部胴縁に縦格子を、縦格子が上部および下部胴縁から抜け出さないようにワンタッチで確実に取り付けることができ、しかも、上部および下部胴縁と縦格子とのなす角度を所定角度範囲内で任意に変えることができる傾斜地対応フェンスに関するものである。
【背景技術】
【０００２】
例えば、道路と歩道との間等に設置されるフェンスは、図１１に示すように、支柱１１と支柱１１間に取り付けられるパネル１２からなり、パネル１２として、上部および下部胴縁１３、１４と、上部胴縁１３と下部胴縁１４との間に、これら胴縁１３、１４と直角に固定される複数本の縦格子１５とから構成されるものがある。
【０００３】
このようなフェンスを平坦地に設置する場合には、長方形状のパネル１２を予め工場で製造しておくことができるので、フェンスの設置コストの低減を図ることができるが、フェンスを傾斜地に設置する場合には、道路勾配がまちまちであるので、道路勾配に合わせて上部および下部胴縁と縦格子とのなす角度が異なるパネル１２を製造せざるを得ず、フェンスの設置コストの上昇を招いていた。
【０００４】
そこで、フェンスの設置コストの低減を目的として、道路勾配に合わせて上部および下部胴縁１３、１４と縦格子１５との取り付け角度を任意に変えることができるフェンスの開発が望まれている。このような傾斜地対応フェンスの一例が、特許文献１（特開２００４−３６０３７２号公報）に開示されている。以下、このフェンスを従来フェンスといい、図面を参照しながら説明する。
【０００５】
図１２は、従来フェンスを示す図であり、同図（ａ）は、正面図、同図（ｂ）は、側面図、同図（ｃ）は、同図（ａ）のＡ部の一部省略拡大断面図、図１３は、従来フェンスの縦格子を示す図であり、同図（ａ）は、一部省略断面図、同図（ｂ）は、同図（ａ）のＣ−Ｃ線断面図、図１４は、縦格子を上部胴縁および下部胴縁に固定する支持材を示す一部省略正面図である。
【０００６】
図１２から図１４に示すように、従来フェンスは、支柱１６と、支柱１６間に取り付けられるパネル１７とからなっている。パネル１７は、パイプ状の上部および下部胴縁１８、１９と、上部胴縁１８と下部胴縁１９との間に取り付けられ、端部が上部胴縁１８と下部胴縁１９とに形成された角状挿入孔１８Ａ、１９Ａ内に挿入される複数本のパイプ状縦格子２０と、縦格子２０を上部胴縁１８および下部胴縁１９に、縦格子２０が上部および下部胴縁１８、１９から抜け打さないように固定する支持材２１とからなっている。縦格子２０の両端部は、角状に絞られ、この部分に支持材２１が挿入される貫通孔２０Ａが形成されている。支持材２１は、棒状をなし、一端部に支持材２１の抜け出し防止のための屈曲部２１Ａが形成されている。
【０００７】
このように構成されている、従来フェンスを設置するには、図１２（ｃ）に示すように、縦格子２０の端部を、上部胴縁１８および下部胴縁１９に形成された挿入孔１８Ａ、１９Ａ内に挿入し、パイプ状胴縁１８、１９内に突出した縦格子２０の端部の貫通孔２０Ａ内に支持材２１を胴縁１８、１９の端部から挿入する。
【０００８】
このように、支持材２１を縦格子２０の端部の貫通孔２０Ａ内に挿入することによって、各縦格子２０は、これらが上部胴縁１８および下部胴縁１９から抜け出さないように胴縁１８、１９に取り付けられ、しかも、胴縁１８、１９の角状挿入孔１８Ａ、１９Ａと縦格子２０の端部と貫通孔２０Ａとの間には若干のクリアランスがあるので、上部および下部胴縁１８、１９と縦格子２０との取り付け角度を所定角度範囲内で任意に変えることが可能となる。従って、フェンスを道路勾配に合わせて設置することができる。
【０００９】
【特許文献１】特開２００４−３６０３７２号公報
【発明の開示】
【発明が解決しようとする課題】
【００１０】
上記従来フェンスによれば、上部および下部胴縁１８、１９と縦格子２０との取り付け角度を所定角度範囲内で任意に変えることができるといった利点を有しているが、以下のような問題点を有していた。
【００１１】
（ａ）縦格子２０の両端部に貫通孔２０Ａをあける必要がある。縦格子２０は、多数本あるので、全ての縦格子２０の両端部に貫通孔２０Ａを所定位置に高精度にあけるには、多大な時間と労力を要する。
【００１２】
（ｂ）支持材２１を胴縁１８、１９の一端から入れて、全ての縦格子２０の貫通孔２０Ａ内に挿入する作業は、縦格子２０の端部と胴縁１８、１９の挿入孔１８Ａ、１９Ａとが互いに角状であり、縦格子２０が軸回りに回転しないとはいえ、各貫通孔２０Ａが一直線状に並ぶとは限らず、極めて大変な作業である。特に、小寸法のフェンスで、縦格子２０が小径の場合には、貫通孔２０Ａの内径も小さくなるので大変な作業となる。
【００１３】
従って、この発明の目的は、上部および下部胴縁に縦格子を、縦格子が上部および下部胴縁から抜け出さないようにワンタッチで確実に取り付けることができ、しかも、上部および下部胴縁と縦格子とのなす角度を所定角度範囲内で任意に変えることができる傾斜地対応フェンスを提供することにある。
【課題を解決するための手段】
【００１４】
この発明は、上述の目的を達成するためになされたものであって、下記を特徴とするものである。
【００１５】
請求項１記載の発明は、支柱と、前記支柱間に取り付けられるパネルとからなり、前記パネルは、上部胴縁および下部胴縁と、前記上部胴縁と前記下部胴縁との間に取り付けられ、端部が前記上部胴縁と前記下部胴縁とに挿入される複数本の縦格子と、前記上部胴縁および前記下部胴縁に前記縦格子を、前記縦格子が前記上部胴縁および前記下部胴縁から抜け出さないように固定する支持材とからなる傾斜地対応フェンスにおいて、前記支持材は、前記上部胴縁および前記下部胴縁内に挿入可能な幅および長さ寸法と前記縦格子の間隔と等しい間隔で形成された鍵穴状開口とを有し、前記開口の大径部は、前記縦格子の端部を挿入可能な寸法を有し、前記開口の小径部は、前記縦格子の端部に形成された頸部を挿入可能な寸法を有していることに特徴を有するものである。
【００１６】
請求項２記載の発明は、請求項１記載の発明において、前記開口の小径部は楔状に形成されていることに特徴を有するものである。
【００１７】
請求項３記載の発明は、請求項１または２記載の発明において、前記上部および下部胴縁は、丸パイプからなり、前記縦格子は、丸または角パイプからなることに特徴を有するものである。
【００１８】
請求項４記載の発明は、請求項１または２記載の発明において、前記上部および下部胴縁は、角パイプからなり、前記縦格子は、丸または角パイプからなることに特徴を有するものである。
【発明の効果】
【００１９】
この発明によれば、上部および下部胴縁と縦格子とのなす角度を所定角度範囲内で任意に変えることができることは勿論、支持材を一方向に移動させるのみで、上部および下部胴縁に縦格子を、縦格子が上部および下部胴縁から抜け出さないようにワンタッチで確実に取り付けることができ、しかも、支持材を上部および下部胴縁内の暗い空間内にある複数本の縦格子の端部の貫通孔に一連に通す必要がないので、煩わしくなく、フェンスの組立て施工が簡単に済む。
【発明を実施するための最良の形態】
【００２０】
次に、この発明の傾斜地対応フェンスの一実施態様を、図面を参照しながら説明する。
【００２１】
図１は、この発明の傾斜地対応フェンスを示す正面図、図２は、この発明の傾斜地対応フェンスの胴縁を示す一部省略斜視図、図３は、図１のＡ−Ａ線断面図、図４は、この発明の傾斜地対応フェンスの支持材を示す一部省略平面図、図５は、支持材に形成された開口を示す平面図、図６は、この発明の傾斜地対応フェンスの縦格子を示す一部省略側面図、図７は、図６のＢ−Ｂ線断面図、図８は、支持材の開口への縦格子の挿入状態を示す斜視図、図９は、角パイプからなる胴縁と縦格子との取り付け部分を示す断面図、図１０は、図１のＢ部拡大図である。
【００２２】
図１に示すように、この発明の傾斜地対応フェンスは、支柱１と、支柱１間にブラケット７（図１０参照）を介して角度調整可能に固定されるパネル２とからなっている。パネル２は、それぞれ丸パイプからなる上部胴縁３および下部胴縁４と、上部胴縁３と下部胴縁４との間に取り付けられ、端部が上部胴縁３と下部胴縁４とに挿入される丸パイプからなる複数本の縦格子５と、縦格子５を、これが上部胴縁３および下部胴縁４から抜け出ないように上部胴縁３および下部胴縁４に固定する支持材６とからなっている。
【００２３】
図２に示すように、上部胴縁３と下部胴縁４とには、縦格子５の端部が挿入される円形状挿入孔３Ａ、４Ａが軸方向に縦格子５の間隔と等しい間隔をあけて形成されている。図３および図４に示すように、支持材６は、細長い板状をなし、上部胴縁３および下部胴縁４内に挿入可能な幅および長さ寸法と、縦格子５の間隔と等しい間隔で形成された鍵穴状開口６Ａとを有している。支持材６の幅寸法（Ｌ１）を上部胴縁３および下部胴縁４の内径寸法（Ｌ１）と等しくすることによって、胴縁３、４内に挿入された支持材６は、胴縁３、４内において上下左右方向に移動しない。
【００２４】
開口６Ａの大径部（Ｍ）は、縦格子５の端部が挿入可能な寸法を有し、開口６Ａの小径部（Ｎ）は、縦格子５の端部に形成された頸部５Ａを挿入可能な寸法を有している。すなわち、図５および図６に示すように、開口６Ａの大径部（Ｍ）の径（Ｌ２）は、縦格子５の外径（Ｌ２）と等しく、開口６Ａの小径部（Ｎ）の幅寸法（Ｌ３）は、頸部５Ａの幅寸法（Ｌ３）と等しくなっている。頸部５Ａは、縦格子５の端部両側にスリット（Ｓ）を設けることによって形成されている。
【００２５】
このように構成されている、この発明の傾斜地対応フェンスを組み立てるには、以下のようにする。
【００２６】
先ず、上部および下部胴縁３、４内に支持材６を挿入する。この際、上部および下部胴縁３、４の挿入孔３Ａ、４Ａの位置と支持材６の鍵穴状開口６Ａの大径部（Ｍ）との位置が合致するように挿入する。次いで、図８に示すように、縦格子５の端部を上部および下部胴縁３、４の挿入孔３Ａ、４Ａ内に挿入する。この挿入作業は、上部胴縁３あるいは下部胴縁４のどちらかを先に行っても、あるいは、同時に行っても良い。これによって、縦格子５の端部は、上部および下部胴縁３、４の挿入孔３Ａ、４Ａを貫通して、図８に示すように、支持材６の大径部（Ｍ）内に挿入される。
【００２７】
次いで、支持材６を、図４および図８中、矢印方向に移動させる。これにより、縦格子５の頸部５Ａが支持材６の小径部（Ｎ）に入り込むので、縦格子５は、上部および下部胴縁３、４から抜け出ないと共に、小径部（Ｎ）の幅方向（支持材６の板幅方向）に移動しない。次いで、図１０に示すように、上部および下部胴縁３、４をブラケット７を介して支柱１にボルト８により固定する。支持材６の端部は、ボルト８に当たるので、支持材６の左右方向の移動が阻止され、従って、縦格子５は、鍵穴状開口６Ａの長さ方向にも移動しない。このようにして、縦格子５は、これが上部および下部胴縁３、４から抜け出さないように上部および下部胴縁３、４に固定される。この作業は、支持材６を一方向に移動させるだけで、全ての縦格子５に対してワンタッチで行える。
【００２８】
このようにして、縦格子５は、これが上部および下部胴縁３、４から抜け出さないように上部および下部胴縁３、４に固定されるが、縦格子５と上部および下部胴縁３、４とのなす角度は、支持材６のスリット（Ｓ）の幅寸法（Ｌ４）の範囲内で任意に角度調整が可能である。従って、道路勾配に合わせて、パネル２を支柱１間にブラケットを介して傾斜させて固定すれば、傾斜地にフェンスを容易且つ確実に設置することができる。
【００２９】
なお、図５中、一点鎖線で示すように、支持材６の開口６Ａの小径部（Ｎ）の形状を楔状に形成すれば、支持材６を一方向に移動させたとき、縦格子５の頸部５Ａが小径部（Ｎ）に食い込むので、縦格子５のガタツキをより確実に防止することができる。
【００３０】
また、図９に示すように、上部および下部胴縁３、４は、角パイプであっても良い。この場合、支持材６を断面Ｈ形状に形成しておけば、角パイプ状の胴縁３、４内での支持材６の上下左右方向の移動を阻止することができる。
【００３１】
この他、上部および下部胴縁３、４は、丸パイプからなり、縦格子５は、角パイプからなっていても、また、上部、下部胴縁３、４および縦格子５は、角パイプからなっていても良い。
【００３２】
以上のように、この発明によれば、上部および下部胴縁３、４と縦格子５とのなす角度を所定角度範囲内で任意に変えることができることは勿論、支持材６を一方向に移動させるのみで、縦格子５を、これが上部および下部胴縁３、４から抜け出さないようにワンタッチで確実に上部および下部胴縁３、４に取り付けることができ、しかも、従来フェンスのように、支持材６を縦格子５の端部の貫通孔に通す必要がないので、縦格子に孔あけ加工を施す必要が無い。従って、傾斜対応フェンスの設置コストの低減を図ることができる。
【図面の簡単な説明】
【００３３】
【図１】この発明の傾斜地対応フェンスを示す正面図である。
【図２】この発明の傾斜地対応フェンスの胴縁を示す一部省略斜視図である。
【図３】図１のＡ−Ａ線断面図である。
【図４】この発明の傾斜地対応フェンスの支持材を示す一部省略平面図である。
【図５】支持材に形成された開口を示す平面図である。
【図６】この発明の傾斜地対応フェンスの縦格子を示す一部省略側面図である。
【図７】図６のＢ−Ｂ線断面図である。
【図８】支持材の開口への縦格子の挿入状態を示す斜視図である。
【図９】角パイプからなる胴縁と縦格子との取り付け部分を示す断面図である。
【図１０】図１のＢ部拡大図である。
【図１１】長方形状のパネルを備えたフェンスを示す正面図である。
【図１２】従来フェンスを示す図であり、同図（ａ）は、正面図、同図（ｂ）は、側面図、同図（ｃ）は、同図（ａ）のＡ部の一部省略拡大断面図である。
【図１３】従来フェンスの縦格子を示す図であり、同図（ａ）は、一部省略断面図、同図（ｂ）は、同図（ａ）のＣ−Ｃ線断面図である。
【図１４】縦格子を上部胴縁および下部胴縁に固定する支持材を示す一部省略正面図である。
【符号の説明】
【００３４】
１：支柱
２：パネル
３：上部胴縁
３Ａ：挿入孔
４：下部胴縁
４Ａ：挿入孔
５：縦格子
５Ａ：頸部
６：支持材
６Ａ：開口
７：ブラケット
８：ボルト
１１：支柱
１２：パネル
１３：上部胴縁
１４：下部胴縁
１５：縦格子
１６：支柱
１７：パネル
１８：上部胴縁
１８Ａ：挿入孔
１９：下部胴縁
１９Ａ：挿入孔
２０：縦格子
２０Ａ：貫通孔
２１：支持材
２１Ａ：屈曲部
【図１】
2007205003.tif 000003
【図２】
2007205003.tif 000004
【図３】
2007205003.tif 000005
【図４】
2007205003.tif 000006
【図５】
2007205003.tif 000007
【図６】
2007205003.tif 000008
【図７】
2007205003.tif 000009
【図８】
2007205003.tif 000010
【図９】
2007205003.tif 000011
【図１０】
2007205003.tif 000012
【図１１】
2007205003.tif 000013
【図１２】
2007205003.tif 000014
【図１３】
2007205003.tif 000015
【図１４】
2007205003.tif 000016